(57)【要約】      （修正有）【課題】従来のペンダントは、人認証機能が設けられておらず、本人と異なった者が何らかの原因により使用していた場合、本人と異なったＱＲコードの情報が伝わってしまい、例えば誤った情報に基づいて治療がなされ、医療事故を起こすという問題点があったので、これを解決するペンダントを提供する。【解決手段】金属からなる基台に金属用彫刻機によるＱＲコード３を彫刻したタグ１であって、ＱＲコードには本人認証機能が含まれていることにより、上記従来の課題を解決する。【選択図】図２
2016107034.tif 000002
【特許請求の範囲】
【請求項１】
金属からなる基台に金属用彫刻機によるＱＲコードを彫刻したタグであって、ＱＲコードには本人認証機能が含まれていることを特徴とするタグ。
【請求項２】
前記基台はチタン鋼であって、前記金属用彫刻機は、ファイバーレーザー加工機である請求項１に記載のタグ。
【請求項３】
前記ファイバーレーザー加工機によるＱＲコードを彫刻する彫刻工程には彫刻するベースを白くする工程が前工程として含まれている請求項２に記載のタグ。
【請求項４】
ファインセラミックスからなる基台にファイバーレーザー加工機によるＱＲコードを彫刻したタグであって、ＱＲコードには本人認証機能が含まれていることを特徴とするタグ。
【発明の詳細な説明】
【技術分野】
【０００１】  本発明は、首にかけるタグに関するものである。
【背景技術】
【０００２】  従来よりペンダントヘッドの表面にＱＲコード（登録商標）を装着したものはあった。下記の特許文献１に示すものは、ＱＲコード携帯用ペンダントおよびＱＲコード迷子札に関するものであり、電話番号、住所、氏名などの個人情報をＱＲコード化し、そのＱＲコードを印刷したものをペンダントヘッドに装着し、携帯電話等のＱＲコードの読み取り手段に読み取らせるものである。【０００３】  しかしながら、このものは、本人認証機能が設けられておらず、ペンダントの所有者本人と異なる者が何らかの原因により所有していた場合、本人と異なったＱＲコードの情報が伝わってしまい、例えば誤った情報に基づいて治療がなされ、医療事故を起こすという問題点があった。
【先行技術文献】
【特許文献】
【０００４】
【特許文献１】実用新案第３１２２８６９号
【発明の概要】
【発明が解決しようとする課題】
【０００５】  本発明は、上記従来の課題を解決するためになされたものであり、タグを所有している者が本当の所有者であることの確認を行うことができるタグを提供することにある。
【課題を解決するための手段】
【０００６】  上記課題を解決するため、本発明のタグは、金属からなる基台に金属用彫刻機によるＱＲコードを彫刻したタグであって、ＱＲコードには本人認証機能が含まれていることを特徴とする。
又、本発明にあっては、前記基台はチタン鋼であって、前記金属用彫刻機は、ファイバーレーザー加工機であることが望ましい。
又、本発明にあっては、前記ファイバーレーザー加工機によるＱＲコードを彫刻する彫刻工程には彫刻するベースを白くする工程が前工程として含まれていることが望ましい。
又、本発明にあっては、ファインセラミックスからなる基台にファイバーレーザー加工機によるＱＲコードを彫刻したタグであって、ＱＲコードには本人認証機能が含まれていることを特徴とする。
【発明の効果】
【０００７】  本発明のタグは、金属からなる基台に金属用彫刻機によるＱＲコードを彫刻したタグであって、ＱＲコードには本人認証機能が含まれていることを特徴とするものであるから、タグを所有している者が本当の所有者であることの確認を行うことができ、例え、本人と異なった者が何らかの原因により所有していたとしても、本人と異なったＱＲコードの情報が伝わることが無く、再度の検査を必要とするが、正しい情報に基づいて治療がなされ、医療事故を起こすことが無いという効果がある。更に、焼付け印刷のように彫らずにＱＲコードを形成したものがＱＲコードに傷が付くとＱＲコードを読み取ることができなくなる可能性があるものに比し、ＱＲコードを読み取る必要があるときに読み取ることができるという効果がある。
又、請求項２のように、前記基台はチタン鋼であって、前記金属用彫刻機は、ファイバーレーザー加工機を用いたものは、ファイバーレーザー加工機とチタン鋼との相性が良く、ファイバーレーザー加工機で彫刻したチタン鋼の箇所が黒くなるものであり、針で彫った後、インクを塗ったものに比し、薬品や熱に対しても強く、汗などによりインクが剥がれないという効果があり、ＱＲコードを読み取る必要があるときに読み取ることができるという効果がある。又、基台にチタン鋼を用いているので、金属アレルギーの心配が無いという効果がある。
又、請求項３のように、前記ファイバーレーザー加工機によるＱＲコードを彫刻する彫刻工程には彫刻するベースを白くする工程が前工程として含まれているものは、ベースの白色とＱＲコードの黒色のコントラストが明瞭になり、ＱＲコードの読み取りが確実に行えるという効果がある。
又、請求項４のように、ファインセラミックスからなる基台にファイバーレーザー加工機によるＱＲコードを彫刻したタグであって、ＱＲコードには本人認証機能が含まれていることを特徴とするものであるから、タグを所有している者が本当の所有者であることの確認を行うことができ、例え、本人と異なった者が何らかの原因により所有していたとしても、本人と異なったＱＲコードの情報が伝わることが無く、再度の検査を必要とするが、正しい情報に基づいて治療がなされ、医療事故を起こすことが無いという効果がある。更に、焼付け印刷のように彫らずにＱＲコードを形成したものがＱＲコードに傷が付くとＱＲコードを読み取ることができなくなる可能性があるものに比し、ＱＲコードを読み取る必要があるときに読み取ることができるという効果がある。更に、ファインセラミックスは、白色であるので彫刻するベースを白くする工程を前工程として設けなくても白色を得ることができ、ＱＲコードを彫刻するベースの白色とＱＲコードの黒色のコントラストが明瞭になり、ＱＲコードの読み取りが確実に行えるという効果がある。
【図面の簡単な説明】
【０００８】
【図１】図１は、本発明のタグの表面図。
【図２】図２は、本発明のタグの裏面図。
【図３】図３は、本発明のタグの他の実施例の表面図。
【発明を実施するための形態】
【０００９】  以下、本発明の実施の形態を図１乃至図３に基づいて詳述すると、タグ１は、チタン鋼からなる基台２にファイバーレーザー加工機でＱＲコード３と、購入者が希望される使用者名が片面に彫刻されるとともに、他の片面に購入者が希望されるキャラクター、タグの商標からなる表示部４がファイバーレーザー加工機で彫刻されている。実施例の表示部４は、キャラクター、タグの商標のみ表示したものであるが、購入者が希望されれば、電話番号などの連絡先等を表示しても構わないものである。基台２をチタン鋼にし、ファイバーレーザー加工機を用いて彫刻したものは、ファイバーレーザー加工機とチタン鋼との相性が良く、ファイバーレーザー加工機で彫刻したチタン鋼の箇所が黒くなるものであり、この黒くなった箇所をＱＲコード３として使用すれば良い。尚、チタン鋼以外にアルミニウム等も選択可能であるが、この場合は、インクを塗る必要があり、剥がれるおそれがある。
【００１０】  基台２は、長方形状でコーナー部には円弧状の円弧部２ａが形成されており、上部中央にはチェーン又は紐を挿入する開口部５が形成されている。尚、基台２の形状及び開口部５の位置は実施例に限定されるものでは無く、円形状であっても構わないものである。基台２の大きさは、縦が３２ミリメートル、横が２０ミリメートル、厚みが２ミリメートル程度の大きさの長方形状のものを採用しているが、縦が３３ミリメートル、横が１２ミリメートル、厚みが２ミリメートルの程度の大きさの長方形状のものや、縦が２８ミリメートル、横が１２ミリメートル、厚みが２ミリメートルの程度の大きさの楕円形形状のものでも構わないものであり、目立つように大きなものを採用しても構わないものである。基台２は、長方形状でコーナー部には円弧状の円弧部２ａが形成されるとともに横方向の中央に開口部が１個形成されているものや、長方形状でコーナー部には円弧状の円弧部２ａが形成されるとともに横方向の両端部に開口部がそれぞれ１個形成されているものや、楕円形状の長手方向の端部に開口部が１個形成されていてもかまわないものである。基台２は、ブラスト研磨とブラスト研磨に比し光沢のあるバレル研磨とを選択することができる。
【００１１】  ＱＲコード３は、氏名、住所、電話番号、携帯電話番号、身体的特徴（怪我・ほくろなど）、ＦＡＸ番号、血液型、アレルギー、緊急連絡先（電話番号、ＦＡＸ番号）、主治医の連絡先、健康保険の記号、運転免許証番号、顔写真、臓器の提供に意思（運転免許所の裏面の情報）、その他のＱＲコード３として残しておきたい情報が入力されており、携帯電話のカメラ等で読み取ることができるようになっている。ＱＲコード３は、購入者の希望に合わせて設定できるようになっている。顔写真、携帯電話番号、身体的特徴（怪我・ほくろなど）は、本人認証機能として使用されるものであり、顔写真は、図３に示すようにタグ１の表面にキャラクターの代わりに彫刻されていても構わないものであり、希望のデータを送付して頂くだけ彫刻ができるものである。携帯電話番号は、携帯電話に表示されたものに触れることで発信され、タグ１の使用者が所有されている携帯電話が鳴れば本人の確認ができるものであり、身体的特徴（怪我・ほくろなど）により、身体的特徴が一致しておれば、本人の確認ができるものであり、携帯電話番号と身体的特徴（怪我・ほくろなど）などがあり、本人認証機能としてＱＲコードに含まれている。
【００１２】  ファイバーレーザー加工機は、出願人が販売しているワードファイバーレーザー（一本彫刻機、２５本金属自動機彫刻機）が印鑑のような微細な彫刻が可能でるとともに、彫刻の劣化及び消滅しないものであり、望ましいものである。ファイバーレーザー加工機によるＱＲコードを彫刻する彫刻工程には彫刻するベースを白くする工程が前工程として含まれている。この工程は、パワーとスピードとを最適値に設定し、縦と横に２回ずつ走査させることで完了し、パワーとスピードとを最適値に設定し、連続してＱＲコード３の彫刻を行えば良いものである。レーザー加工機としてファイバーレーザー加工機以外に一般のレーザー加工機、ＣＯ２レーザー加工機、ヤグレーザー加工機があるが、ＱＲコードの彫刻にはファイバーレーザー加工機が適している。
【００１３】  基台２の実施例として金属以外のものとして、ファインセラミックスがあり、ファイバーレーザー加工機でＱＲコード３と、購入者が希望される使用者名が片面に彫刻されるとともに、他の片面に購入者が希望されるキャラクター、タグの商標からなる表示部４がファイバーレーザー加工機で彫刻され、実施例１と同様に、ＱＲコード３には本人認証機能が含まれている。
【００１４】タグ１の使用者は、人や愛玩動物、特に、痴呆症の方、老人、子供、運転手、パイロットのように、あらゆる事故、人災、災害合われた方の本人確認にも使用可能なものである。
【００１５】  「厚生労働省によると、行方不明になられた認知症の高齢者は、平成２５年の１年間で５２００人。認知症で行方不明の届け出が平成２４年に９６００人。また、認知症は高齢者の４人に１人であり、今後激増する傾向にあり、認知症４００万人、認知症予備軍４００万人。」（平成２６年１１月５日産経デジタルの記事引用）と言われており、本発明のタグを身に着けることで行方不明者の早期発見と減少が望まれる。
【符号の説明】
【００１６】  １    タグ
２    基台
３    ＱＲコード
４    表示部
５    開口部
【図１】
2016107034.tif 000003
【図２】
2016107034.tif 000004
【図３】
2016107034.tif 000005